(57)【要約】【課題】同軸ケーブルが柔軟性絶縁部材に埋め込まれていても、当該同軸ケーブルの中心導体及び外側導体と内側コンタクト及び外側コンタクトとの相互接続を容易にしかも安定かつ確実に行うことができることになる同軸ケーブルコネクタ装置を提供する。【解決手段】同軸ケーブルの外側導体の外周面部に外装嵌合する嵌合部１９及びそれに連なる固定部１８を有した外側コンタクト１３と、内部に固定部１８が配されて外部に嵌合部１９が配される筒状部１４が設けられた絶縁ハウジング１６と、嵌合部１９の内側に配された同軸ケーブルの中心導体に固定部１８の内部を通じて差し込み係合せしめられる内側コンタクト１７とを備え、外側コンタクト１３の嵌合部１９が、その内側に配された同軸ケーブルの中心導体に内側コンタクト１７が差し込み係合せしめられたもとでの潰し加工による塑性変形が施されるカシメ部を成す。【選択図】図７
2019121516.tif 000002
【特許請求の範囲】
【請求項１】
同軸ケーブルの外側導体の外周面部に外装嵌合する嵌合部及び該嵌合部に連なる固定部を有した外側コンタクトと、
内部に上記外側コンタクトの固定部が配されて外部に上記外側コンタクトの嵌合部が配される筒状部が設けられた絶縁ハウジングと、
上記外側コンタクトの嵌合部の内側に配された上記同軸ケーブルの中心導体に、上記外側コンタクトの固定部の内部を通じて、差し込み係合せしめられる内側コンタクトと、
を備えて構成され、
上記外側コンタクトの嵌合部が、該嵌合部の内側に配された上記同軸ケーブルの中心導体に上記内側コンタクトが差し込み係合せしめられたもとでの潰し加工による塑性変形が施されるカシメ部を成すことを特徴とする同軸ケーブルコネクタ装置。
【請求項２】
上記絶縁ハウジングに、上記潰し加工による塑性変形が施された上記カシメ部を成す上記外側コンタクトの嵌合部を覆う状態をとる可動カバー部が設けられたことを特徴とする請求項１記載の同軸ケーブルコネクタ装置。
【請求項３】
上記外側コンタクトが、上記固定部を成す第１の筒状部分と該第１の筒状部分から伸びて上記嵌合部を成す第２の筒状部分とを有していることを特徴とする請求項１記載の同軸ケーブルコネクタ装置。
【請求項４】
上記絶縁ハウジングに、上記第１の筒状部分が上記絶縁ハウジングの筒状部に挿入された上記外側コンタクトにおける上記嵌合部を成す第２の筒状部分が配される切欠き部が設けられていることを特徴とする請求項２記載の同軸ケーブルコネクタ装置。
【請求項５】
上記内側コンタクトが、針状導電体を成していることを特徴とする請求項１記載の同軸ケーブルコネクタ装置。
【請求項６】
上記同軸ケーブルの中心導体が結束された複数の銀メッキ繊維によって形成されたもとで、上記内側コンタクトが成す針状導電体が上記結束された複数の銀メッキ繊維に差し込み係合せしめられることを特徴とする請求項５記載の同軸ケーブルコネクタ装置。
【請求項７】
嵌合部及び該嵌合部に連なる固定部を有した外側コンタクトと該外側コンタクトの内側に配される内側コンタクトと上記外側コンタクト及び内側コンタクトを保持する絶縁ハウジングとを備え、上記外側コンタクトの固定部が上記絶縁ハウジングに設けられた筒状部の内部に配されて、上記外側コンタクトの嵌合部が上記絶縁ハウジングの筒状部の外部に配されて成る同軸ケーブルコネクタ装置を用意し、
上記絶縁ハウジングの筒状部の外部に配された上記外側コンタクトの嵌合部に同軸ケーブルを挿入して、上記外側コンタクトの嵌合部に上記同軸ケーブルの外側導体の外周面部に外装嵌合した状態をとらせ、
上記内側コンタクトを、上記外側コンタクトの嵌合部の内側に配された上記同軸ケーブルの中心導体に、上記外側コンタクトの固定部の内部を通じて差し込み係合させ、
上記外側コンタクトにおけるカシメ部を成す嵌合部に、上記外側コンタクトの嵌合部の内側に配された上記同軸ケーブルの中心導体に上記内側コンタクトが差し込み係合せしめられたもとでの潰し加工による塑性変形を施して、
上記同軸ケーブルの中心導体及び外側導体を上記同軸ケーブルコネクタ装置の内側コンタクト及び外側コンタクトに夫々押圧接続されたものとなすことを特徴とする同軸ケーブル接続方法。
【請求項８】
上記潰し加工による塑性変形が施された上記外側コンタクトにおけるカシメ部を成す嵌合部を上記絶縁ハウジングに設けられた可動カバー部によって覆うことを特徴とする請求項７記載の同軸ケーブル接続方法。
【発明の詳細な説明】
【技術分野】
【０００１】
本願の特許請求の範囲に記載された発明は、中心導体とそれを絶縁体を介して包囲する外側導体とを有した同軸ケーブルの中心導体及び外側導体が夫々接続される、互いに絶縁された内側コンタクト及び外側コンタクトを備えた同軸ケーブルコネクタ装置、及び、同軸ケーブルの中心導体及び外側導体を、同軸ケーブルコネクタ装置に設けられた互いに絶縁された内側コンタクト及び外側コンタクトに夫々接続された状態とする同軸ケーブル接続方法に関する。
【背景技術】
【０００２】
布製包帯のような柔軟性絶縁部材に信号伝送ケーブルを埋め込み、当該信号伝送ケーブルを測定装置に連結したもとで、信号伝送ケーブルが埋め込まれた柔軟性絶縁部材を、例えば、人体の一部分に装着して、測定装置によって測定される信号伝送ケーブルのインピーダンスの変化によって、信号伝送ケーブルが埋め込まれた柔軟性絶縁部材が蒙る漏血等を検知する検知システムが開発されている。斯かる検知システムにあっては、柔軟性部材に埋め込まれた信号伝送ケーブルをコネクタ装置を介して測定装置に連結することになるが、その際、柔軟性絶縁部材に埋め込まれた信号伝送ケーブルとコネクタ装置との相互接続を、容易にしかも安定かつ確実に行うことが課題とされる。
【０００３】
従来にあっては、柔軟性絶縁部材に埋め込まれた信号伝送ケーブルとコネクタ装置との相互接続を行うにあたって用いられるコネクタ装置として、それが備える接続端子に突刺部を設け、その突刺部を信号伝送ケーブルが埋め込まれた柔軟性絶縁部材に突き刺すことにより、接続端子を柔軟性絶縁部材に埋め込まれた信号伝送ケーブルに接続された状態となすものが提案されている（例えば、特許文献１参照。）。
【０００４】
特許文献１に開示されているコネクタ装置（コネクタ(21)) にあっては、絶縁材料により形成されたハウジング（ボディ(27)) が成す凹部の底面部（底壁(31)) に複数の接続端子(29)が立設されている。これらの複数の接続端子は、相手方コネクタ装置の複数の接続端子との相互接続に供される。そして、複数の接続端子の夫々の一端には二股状を成す突刺部(29c) が設けられており、各突刺部はハウジングが成す凹部の底面部を貫通して当該底面部外に突出している。
【０００５】
このように構成されたコネクタ装置が実用に供されるにあたっては、そのハウジングが複数の信号伝送ケーブル（銅線(5))が埋め込まれた柔軟性絶縁部材（軟質絶縁材料で帯板状に形成された外皮(3))上に配され、複数の接続端子の夫々の一端に設けられた突刺部が、複数の信号伝送ケーブルが埋め込まれた柔軟性絶縁部材に突き刺さるものとされる。柔軟性絶縁部材に埋め込まれた複数の信号伝送ケーブルは、コネクタ装置における複数の接続端子の夫々の一端に設けられた突刺部に対応する位置をとるものとされており、それにより、柔軟性絶縁部材に突き刺さった突刺部は、柔軟性絶縁部材に埋め込まれた信号伝送ケーブルに当接接触する状態におかれる。その結果、コネクタ装置における複数の接続端子が、柔軟性絶縁部材に埋め込まれた複数の信号伝送ケーブルに夫々接続された状態におかれ、柔軟性絶縁部材に埋め込まれた信号伝送ケーブルとコネクタ装置との相互接続が行われることになる。
【先行技術文献】
【特許文献】
【０００６】
【特許文献１】実用新案登録３０４５１６２号公報
【発明の概要】
【発明が解決しようとする課題】
【０００７】
上述の特許文献１に開示されているような従来提案されているコネクタ装置は、その使用が、柔軟性絶縁部材に埋め込まれた信号伝送ケーブルが単線ケーブルである場合に限られ、柔軟性絶縁部材に埋め込まれた信号伝送ケーブルが同軸ケーブルである場合には用いることができない。その理由は、次のとおりである。
【０００８】
同軸ケーブルは、伝送される信号が流れる中心導体とそれを絶縁体を介在させて包囲して配されたもとで接地電位が与えられる外側導体とを備えた構造を有している。それゆえ、同軸ケーブルが柔軟性絶縁部材に埋め込まれた状態におかれたときには、前述の従来提案されているコネクタ装置における接続端子に設けられた突刺部が、同軸ケーブルが埋め込まれた柔軟性絶縁部材に突き刺されても、接続端子が同軸ケーブルの外側導体に当接接触する状態は得られるが、接続端子が同軸ケーブルの中心導体に当接接触する状態は得られず、その結果、柔軟性絶縁部材に埋め込まれた信号伝送ケーブルを成す同軸ケーブルとコネクタ装置との相互接続が行われることにはならないからである。
【０００９】
斯かる点に鑑み、本願の特許請求の範囲に記載された発明は、布製包帯のような柔軟性絶縁部材に埋め込まれた信号伝送ケーブルが中心導体とそれを絶縁体を介して包囲する外側導体とを有した同軸ケーブルである場合においても、当該同軸ケーブルの中心導体及び外側導体との相互接続を容易にしかも安定かつ確実に行うことができる互いに絶縁された内側コンタクト及び外側コンタクトを備えた同軸ケーブルコネクタ装置、及び、布製包帯のような柔軟性絶縁部材に埋め込まれた信号伝送ケーブルが中心導体とそれを絶縁体を介して包囲する外側導体とを有した同軸ケーブルである場合においても、当該同軸ケーブルの中心導体及び外側導体と同軸ケーブルコネクタ装置に設けられた互いに絶縁された内側コンタクト及び外側コンタクトとを容易にしかも安定かつ確実に相互接続することができる同軸ケーブル接続方法を提供する。
【課題を解決するための手段】
【００１０】
本願の特許請求の範囲における請求項１から請求項６までのいずれかに記載された発明に係る同軸ケーブルコネクタ装置（以下、本願発明に係る同軸ケーブルコネクタ装置という。）は、同軸ケーブルの外側導体の外周面部に外装嵌合する嵌合部及びその嵌合部に連なる固定部を有した外側コンタクトと、内部に外側コンタクトの固定部が配されて外部に外側コンタクトの嵌合部が配される筒状部が設けられた絶縁ハウジングと、外側コンタクトの嵌合部の内側に配された同軸ケーブルの中心導体に、外側コンタクトの固定部の内部を通じて、差し込み係合せしめられる内側コンタクトとを備えて構成され、外側コンタクトの嵌合部が、その内側に配された同軸ケーブルの中心導体に内側コンタクトが差し込み係合せしめられたもとでの潰し加工による塑性変形が施されるカシメ部を成すことを特徴とするものとされる。
【００１１】
斯かる本願発明に係る同軸ケーブルコネクタ装置の一例にあっては、絶縁ハウジングに、外側コンタクトの嵌合部の内側に配された同軸ケーブルの中心導体に内側コンタクトが差し込み係合せしめられたもとでの潰し加工による塑性変形が施された、カシメ部を成す外側コンタクトの嵌合部を覆う状態をとる可動カバー部が設けられる。
【００１２】
また、本願の特許請求の範囲における請求項７及び請求項８のいずれかに記載された発明に係る同軸ケーブル接続方法（以下、本願発明に係る同軸ケーブル接続方法という。）においては、先ず、嵌合部及びそれに連なる固定部を有した外側コンタクトと外側コンタクトの内側に配される内側コンタクトと外側コンタクト及び内側コンタクトを保持する絶縁ハウジングとを備え、外側コンタクトの固定部が絶縁ハウジングに設けられた筒状部の内部に配されて、外側コンタクトの嵌合部が絶縁ハウジングの筒状部の外部に配されて成る同軸ケーブルコネクタ装置を用意し、続いて、絶縁ハウジングの筒状部の外部に配された外側コンタクトの嵌合部に同軸ケーブルを挿入して、外側コンタクトの嵌合部に同軸ケーブルの外側導体の外周面部に外装嵌合した状態をとらせたもとで、内側コンタクトを、外側コンタクトの嵌合部の内側に配された同軸ケーブルの中心導体に、外側コンタクトの固定部の内部を通じて差し込み係合させ、さらに、外側コンタクトにおけるカシメ部を成す嵌合部に、外側コンタクトの嵌合部の内側に配された同軸ケーブルの中心導体に内側コンタクトが差し込み係合せしめられたもとでの潰し加工による塑性変形を施して、同軸ケーブルの中心導体及び外側導体を同軸ケーブルコネクタ装置の内側コンタクト及び外側コンタクトに夫々押圧接続されたものとなす。
【００１３】
斯かる本願発明に係る同軸ケーブル接続方法の一例にあっては、外側コンタクトの嵌合部の内側に配された同軸ケーブルの中心導体に内側コンタクトが差し込み係合せしめられたもとでの潰し加工による塑性変形が施された外側コンタクトにおけるカシメ部を成す嵌合部を、絶縁ハウジングに設けられた可動カバー部によって覆う状態がとられる。
【００１４】
上述の本願発明に係る同軸ケーブルコネクタ装置は、実用に供されるにあたっては、例えば、布製包帯のような柔軟性絶縁部材に信号伝送ケーブルを成すものとして埋め込まれた同軸ケーブルにおける柔軟性絶縁部材に埋め込まれていない一端部に装着される。その際には、本願発明に係る同軸ケーブルコネクタ装置において、外側コンタクトの固定部が絶縁ハウジングの筒状部の内部に配されたものとされるとともに、外側コンタクトの嵌合部が絶縁ハウジングの筒状部の外部に配されたものとされ、絶縁ハウジングの筒状部の外部に配された外側コンタクトの嵌合部に同軸ケーブルが挿入されて、外側コンタクトの嵌合部が外側導体の外周面部に外装嵌合した状態をとるもとで、内側コンタクトが、外側コンタクトの内側に配された同軸ケーブルの中心導体に、絶縁ハウジングの筒状部の内部に配された外側コンタクトの固定部の内部を通じて、差し込み係合せしめられ、さらに、外側コンタクトの嵌合部が、その内側に配された同軸ケーブルの中心導体に内側コンタクトが差し込み係合せしめられたもとでの潰し加工による塑性変形が施されるカシメ部を成すものとされる。それにより、同軸ケーブルの中心導体及び外側導体が、本願発明に係る同軸ケーブルコネクタ装置の内側コンタクト及び外側コンタクトに、夫々押圧接続された状態におかれる。
【００１５】
そして、本願発明に係る同軸ケーブルコネクタ装置の一例においては、外側コンタクトの嵌合部の内側に配された同軸ケーブルの中心導体に内側コンタクトが差し込み係合せしめられたもとでの潰し加工による塑性変形が施された、カシメ部を成す外側コンタクトの嵌合部が、絶縁ハウジングに設けられた可動カバー部によって覆われるものとされる。
【００１６】
また、上述の本願発明に係る同軸ケーブル接続方法を実施するにあたっては、嵌合部及びその嵌合部に連なる固定部を有した外側コンタクトと外側コンタクトの内側に配される内側コンタクトと外側コンタクト及び内側コンタクトを保持する絶縁ハウジングとを備え、外側コンタクトの固定部が絶縁ハウジングに設けられた筒状部の内部に配されて、外側コンタクトの嵌合部が絶縁ハウジングの筒状部の外部に配されて成る同軸ケーブルコネクタ装置が用意されたもとで、同軸ケーブルコネクタ装置において、絶縁ハウジングの筒状部の外部に配された外側コンタクトの嵌合部に、例えば、布製包帯のような柔軟性絶縁部材に信号伝送ケーブルを成すものとして埋め込まれた同軸ケーブルを挿入して、外側コンタクトの嵌合部に同軸ケーブルの外側導体の外周面部に外装嵌合した状態をとらせ、続いて、同軸ケーブルコネクタ装置が備える内側コンタクトを、外側コンタクトの嵌合部の内側に配された同軸ケーブルの中心導体に、外側コンタクトの固定部の内部を通じて、差し込み係合させる。その後、外側コンタクトにおけるカシメ部を成す嵌合部に、外側コンタクトの嵌合部の内側に配された同軸ケーブルの中心導体に内側コンタクトが差し込み係合せしめられたもとでの潰し加工による塑性変形を施し、それにより、同軸ケーブルの中心導体及び外側導体が同軸ケーブルコネクタ装置の内側コンタクト及び外側コンタクトに夫々押圧接続された状態となす。
【００１７】
そして、本願発明に係る同軸ケーブル接続方法の一例によれば、同軸ケーブルコネクタ装置において、外側コンタクトの嵌合部の内側に配された同軸ケーブルの中心導体に内側コンタクトが差し込み係合せしめられたもとでの潰し加工による塑性変形が施された、外側コンタクトにおけるカシメ部を成す嵌合部が、絶縁ハウジングに設けられた可動カバー部によって覆われる。
【発明の効果】
【００１８】
本願発明に係る同軸ケーブルコネクタ装置あるいは本願発明に係る同軸ケーブル接続方法によれば、例えば、布製包帯のような柔軟性絶縁部材に信号伝送ケーブルを成すものとして埋め込まれた同軸ケーブルの一端部に同軸ケーブルコネクタ装置が装着されるにあたり、同軸ケーブルコネクタ装置において、絶縁ハウジングに設けられた筒状部の内部に配された固定部及び絶縁ハウジングに設けられた筒状部の外部に配された嵌合部を有した外側コンタクトにおける嵌合部に同軸ケーブルが挿入されて、外側コンタクトの嵌合部が同軸ケーブルの外側導体の外周面部に外装嵌合した状態をとるものとされるとともに、内側コンタクトが、外側コンタクトの嵌合部の内側に配された同軸ケーブルの中心導体に、外側コンタクトの固定部の内部を通じて差し込み係合せしめられ、さらに、外側コンタクトにおけるカシメ部を成す嵌合部に、その内側に配された同軸ケーブルの中心導体に内側コンタクトが差し込み係合せしめられたもとでの潰し加工による塑性変形が施されるものとされる。それにより、同軸ケーブルの中心導体及び外側導体が、同軸ケーブルコネクタ装置の内側コンタクト及び外側コンタクトに、夫々押圧接続された状態におかれる。
【００１９】
その結果、布製包帯のような柔軟性絶縁部材に埋め込まれた信号伝送ケーブルが中心導体とそれを絶縁体を介して包囲する外側導体とを有した同軸ケーブルである場合においても、当該同軸ケーブルの中心導体及び外側導体と同軸ケーブルコネクタ装置に設けられた互いに絶縁された内側コンタクト及び外側コンタクトとの相互接続を容易にしかも安定かつ確実に行うことができることになる。
【００２０】
また、本願発明に係る同軸ケーブルコネクタ装置の一例あるいは本願発明に係る同軸ケーブル接続方法の一例によれば、同軸ケーブルコネクタ装置において、その内側に配された同軸ケーブルの中心導体に内側コンタクトが差し込み係合せしめられたもとでの潰し加工による塑性変形が施された外側コンタクトにおけるカシメ部を成す嵌合部を、絶縁ハウジングに設けられ可動カバー部によって覆われたものとすることができる。
【図面の簡単な説明】
【００２１】
【図１】本願発明に係る同軸ケーブルコネクタ装置の一例を、分解された状態をもって、柔軟性絶縁部材に埋め込まれた同軸ケーブル及びその部分拡大図と共に示す斜視図である。
【図２】本願発明に係る同軸ケーブルコネクタ装置の一例が備える、外側コンタクトを内蔵した絶縁ハウジングを示す平面図である。
【図３】図２における III−III 線断面を示す断面図である。
【図４】本願発明に係る同軸ケーブルコネクタ装置の一例が、柔軟性絶縁部材に埋め込まれた同軸ケーブルの一端部に装着された状態を示す平面図である。
【図５】本願発明に係る同軸ケーブルコネクタ装置の一例が、柔軟性絶縁部材に埋め込まれた同軸ケーブルの一端部に装着された状態を示す側面図である。
【図６】図４におけるVI−VI線断面を示す断面図である。
【図７】図４におけるVI−VI線断面を部分的に拡大して示す部分拡大断面図である。
【図８】本願発明に係る同軸ケーブルコネクタ装置の一例が、柔軟性絶縁部材に埋め込まれた同軸ケーブルの一端部に装着されて、電子機器に備えられた相手方コネクタ装置に対向せしめられた状態を示す平面図である。
【図９】回路基板に取り付けられた相手方コネクタ装置を示す平面図である。
【図１０】回路基板に取り付けられた相手方コネクタ装置を示す側面図である。
【図１１】図９におけるXI−XI線断面を示す断面図である。
【図１２】図８における XII−XII 線断面を示す断面図である。
【図１３】本願発明に係る同軸ケーブルコネクタ装置の一例が、柔軟性絶縁部材に埋め込まれた同軸ケーブルの一端部に装着されて、電子機器に備えられた相手方コネクタ装置に接続された状態を示す平面図である。
【図１４】図１３における XIV−XIV 線断面を示す断面図である。
【図１５】図１３における XIV−XIV 線断面を部分的に拡大して示す部分拡大断面図である。
【発明を実施するための形態】
【００２２】
本願発明を実施するための形態は、以下に述べられる本願発明についての実施例をもって説明される。
【実施例】
【００２３】
以下に、本願発明に係る同軸ケーブルコネクタ装置の一例、及び、それが用いられて実施される本願発明に係る同軸ケーブル接続方法の一例が、図１から図１５までが参照されて説明される。
【００２４】
図１（斜視図）は、本願発明に係る同軸ケーブルコネクタ装置の一例を成す同軸ケーブルコネクタ装置１０を、分解された状態をもって、例えば、布製包帯とされる柔軟性絶縁部材１１に埋め込まれた同軸ケーブル１２と共に示す。図１における一点鎖線円ａ内に示される同軸ケーブル１２における柔軟性絶縁部材１１に埋め込まれていない一端部は、図１における一点鎖線円Ａ内に拡大図示されている。斯かる同軸ケーブル１２は、一点鎖線円Ａ内に示されるその一端部の端面に現れているように、中心導体１２ａと、その中心導体１２ａを包囲する内部絶縁体１２ｂと、その内部絶縁体１２ｂを包囲する外側導体１２ｃと、を備えて構成されている。
【００２５】
同軸ケーブル１２においては、中心導体１２ａが複数の銀メッキ繊維が束ねられて形成されるとともに、外側導体１２ｃが複数の銀メッキ繊維が網状に編まれて形成されており、さらに、内部絶縁体１２ｂが柔軟性誘電体によって形成されていて、同軸ケーブル１２の全体が、極めて柔軟性に富んだものとされている。斯かる同軸ケーブル１２に用いられる銀メッキ繊維は、例えば、ナイロン糸に銀メッキコーティングが施されて得られる導電性繊維とされる。
【００２６】
同軸ケーブルコネクタ装置１０は、同軸ケーブル１２の一端部に装着されるものとされている。そして、同軸ケーブルコネクタ装置１０は、同軸ケーブル１２の一端部に係合する外側コンタクト１３と、内部に外側コンタクト１３が部分的に配される筒状部１４が設けられるとともに着脱可能とされた底板部１５を備えた絶縁ハウジング１６と、外側コンタクト１３に係合した同軸ケーブル１２の一端部における中心導体１２ａに差し込み係合せしめられる内側コンタクト１７と、を備えて構成されている。
【００２７】
外側コンタクト１３は、導電材料によって形成されていて、絶縁ハウジング１６の筒状部１４の内部に配される固定部１８を成す第１の筒状部分と固定部１８に連なって伸びて絶縁ハウジング１６の筒状部１４の外部に配される嵌合部１９を成す第２の筒状部分とを有している。このような外側コンタクト１３における第２の筒状部分によって形成される嵌合部１９は、同軸ケーブルコネクタ装置１０が同軸ケーブル１２の一端部に装着されるに際して潰し加工による塑性変形が施されるカシメ部を成すものとされている。また、絶縁ハウジング１６には、外側コンタクト１３における絶縁ハウジング１６の筒状部１４の内部に配された固定部１８から絶縁ハウジング１６の筒状部１４の外部へと伸びる嵌合部１９を、全体的に覆う状態をとる可動カバー部２０が設けられている。さらに、内側コンタクト１７は、針状導電体を成している。
【００２８】
図２は、筒状部１４の内部に外側コンタクト１３の固定部１８が配されるとともに筒状部１４の外部に外側コンタクト１３の嵌合部１９が配されたもとで、底板部１５が取り外された絶縁ハウジング１６を示し、図３は、図２における III−III 線断面を示す。図３に示されるように、絶縁ハウジング１６にあっては、それに設けられた筒状部１４の内部に外側コンタクト１３の固定部１８が配されて固定されており、また、その外側コンタクト１３の固定部１８に連なった外側コンタクト１３の嵌合部１９が筒状部１４の外部に配されている。そして、絶縁ハウジング１６の筒状部１４の中心部分には、針状導電体を成す内側コンタクト１７が挿入される細孔２１が設けられており、さらに、絶縁ハウジング１６の筒状部１４の外部には、外側コンタクト１３の嵌合部１９が配される切欠き部２２が設けられている。切欠き部２２は、絶縁ハウジング１６が底板部１５の装着がなされたものとされるとき、底板部１５によって塞がれる。
【００２９】
図４（平面図）及び図５（側面図）は、同軸ケーブルコネクタ装置１０が、柔軟性絶縁部材１１に埋め込まれた同軸ケーブル１２の一端部に装着された状態を示し、図６は、図４におけるVI−VI線断面を示し、図７は、図４におけるVI−VI線断面を部分的に拡大して示す。同軸ケーブルコネクタ装置１０が同軸ケーブル１２の一端部に装着されるにあたっては、以下に述べるような本願発明に係る同軸ケーブル接続方法の一例が実施される。
【００３０】
先ず、同軸ケーブルコネクタ装置１０において、絶縁ハウジング１６に設けられた可動カバー部２０を、図２及び図３に示されるように、絶縁ハウジング１６に設けられた筒状部１４の外部に配された嵌合部１９から離隔した位置をとらせるとともに、底板部１５を取り外したもとで、絶縁ハウジング１６に設けられた筒状部１４の内部に配された固定部１８及び絶縁ハウジング１６に設けられた筒状部１４の外部に配された嵌合部１９を有した外側コンタクト１３における嵌合部１９に、同軸ケーブル１２における柔軟性絶縁部材１１の外部に突出した一端部を挿入し、それにより、外側コンタクト１３の嵌合部１９に、図１に示される同軸ケーブル１２の一端部における外側導体１２ｃの外周面部に外装嵌合した状態をとらせる。次に、針状導電体を成す内側コンタクト１７を、外側コンタクト１３の嵌合部１９の内側に配された同軸ケーブル１２の一端部における中心導体１２ａに、外側コンタクト１３の固定部１８の内部に位置する絶縁ハウジング１６の筒状部１４の中心部分に設けられた細孔２１（図３参照）を通じて差し込み係合させる。斯かるもとにあっては、外側コンタクト１３及び内側コンタクト１７の両者が、絶縁ハウジング１６によって相互絶縁状態をもって保持された状態におかれることになる。
【００３１】
続いて、嵌合部１９とそれから離隔した可動カバー部２０との間の空間及び絶縁ハウジング１６に設けられた切欠き部２２を利用して、外側コンタクト１３におけるカシメ部を成す嵌合部１９に、その内側に配された同軸ケーブル１２の一端部における中心導体１２ａに内側コンタクト１７が差し込み係合せしめられたもとでの潰し加工による塑性変形を施す。それにより、同軸ケーブル１２の中心導体１２ａ及び外側導体１２ｃが、同軸ケーブルコネクタ装置１０の内側コンタクト１７及び外側コンタクト１３に、夫々押圧接続された状態におかれる。
【００３２】
その後、絶縁ハウジング１６に底板部１５（図１参照）を装着するとともに、絶縁ハウジング１６に設けられた可動カバー部２０に、嵌合部１９に近接した位置をとらせ、それにより、潰し加工による塑性変形が施された外側コンタクト１３におけるカシメ部を成す嵌合部１９を、可動カバー部２０によって覆われるものとなす。
【００３３】
このような同軸ケーブル接続方法が実施されることにより、図６及び図７に示されるように、同軸ケーブルコネクタ装置１０が、同軸ケーブル１２の外側導体１２ａの外周面部に外装嵌合する嵌合部１９及びその嵌合部１９に連なる固定部１８を有した外側コンタクト１３と、内部に外側コンタクト１３の固定部１８が配されて外部に外側コンタクト１３の嵌合部１９が配される筒状部１４が設けられた絶縁ハウジング１６と、外側コンタクト１３の嵌合部１９の内側に配された同軸ケーブル１２の中心導体１２ａに、外側コンタクト１３の固定部１８の内部を通じて差し込み係合せしめられる内側コンタクト１７とを備えて構成され、外側コンタクト１３の嵌合部１９が、その内側に配された同軸ケーブル１２の中心導体１２ａに内側コンタクト１７が差し込み係合せしめられたもとでの潰し加工による塑性変形が施されるカシメ部を成すものとされることになる。
【００３４】
図８は、柔軟性絶縁部材１１に埋め込まれた同軸ケーブル１２における柔軟性絶縁部材１１から突出した一端部に装着された同軸ケーブルコネクタ装置１０が、測定装置等とされる電子機器２５に備えられた相手方コネクタ装置２６に、それに接続されるべく対向配置された状態を示す。
【００３５】
相手方コネクタ装置２６は、図９（平面図）、図１０（側面図) 及び図１１（図９におけるXI−XI線断面を示す断面図）に示されるように、電子機器２５の内部に備えられた回路基板２７に取り付けられた絶縁ハウジング２８を備えている。絶縁ハウジング２８には、た同軸ケーブルコネクタ装置１０の絶縁ハウジング１６に設けられた筒状部１４の先端部が挿入される嵌合凹部２９が設けられている。嵌合凹部２９内には、同軸ケーブルコネクタ装置１０の内側コンタクト１７に接触接続される内側コンタクト３０と内側コンタクト３０を包囲する筒状体を成すものとされて同軸ケーブルコネクタ装置１０の外側コンタクト１３に接触接続される外側コンタクト３１とが配されている。これらの内側コンタクト３０及び外側コンタクト３１は、絶縁ハウジング２８によって相互絶縁状態をもって保持され、絶縁ハウジング２８から嵌合凹部２９内に突出するものとされている。そして、内側コンタクト３０における接続端子部３０ａが、回路基板２７に設けられた信号伝送部３２に接続され、また、外側コンタクト３１における接続端子部３１ａが、回路基板２７に設けられた接地電位部３３に接続されている。
【００３６】
また、相手方コネクタ装置２６の絶縁ハウジング２８には、弾性材料によって形成されたシーリングリング３４が装着されている。シーリングリング３４は、図８における XII−XII 線断面を示す図１２に示されるように、絶縁ハウジング２８が電子機器２５の筐体３５に設けられた透孔３５ａに係合せしめられて筐体３５に装着されるにあたり、筐体３５と絶縁ハウジング２８との間に生じる細隙を塞ぐ役割を果たす。
【００３７】
図８に示されるように、柔軟性絶縁部材１１に埋め込まれた同軸ケーブル１２における柔軟性絶縁部材１１から突出した一端部に装着された同軸ケーブルコネクタ装置１０が、電子機器２５に備えられた相手方コネクタ装置２６に対向配置される際には、図１２に示されるように、同軸ケーブルコネクタ装置１０の絶縁ハウジング１６に設けられた筒状部１４の先端部が、電子機器２５の筐体３５に装着された相手方コネクタ装置２６の絶縁ハウジング２８に設けられた嵌合凹部２９に対応する位置をとるものとされる。そして、それに伴って、同軸ケーブルコネクタ装置１０の絶縁ハウジング１６に設けられた筒状部１４の内部に配された外側コンタクト１３の固定部１８及びその内側に配された内側コンタクト１７が、相手方コネクタ装置２６の絶縁ハウジング２８における嵌合凹部２９内に配された外側コンタクト３１及びそれにより包囲された内側コンタクト３０に、夫々対応する位置をとるものとされる。
【００３８】
その後、図１３に示されるように、柔軟性絶縁部材１１に埋め込まれた同軸ケーブル１２における柔軟性絶縁部材１１から突出した一端部に装着された同軸ケーブルコネクタ装置１０の絶縁ハウジング１６に設けられた筒状部１４の先端部が、電子機器２５の筐体３５に装着された相手方コネクタ装置２６の絶縁ハウジング２８に設けられた嵌合凹部２９に挿入されて、同軸ケーブルコネクタ装置１０が相手方コネクタ装置２６に接続された状態がとられる。斯かる際には、図１３における XIV−XIV 線断面を示す図１４及び図１３における XIV−XIV 線断面を部分的に拡大して示す図１５に示されるように、同軸ケーブルコネクタ装置１０における絶縁ハウジング１６の筒状部１４の内部に配された外側コンタクト１３の固定部１８が、相手方コネクタ装置２６の絶縁ハウジング２８における嵌合凹部２９内に配された外側コンタクト３１に接触接続され、また、同軸ケーブルコネクタ装置１０における絶縁ハウジング１６の筒状部１４の内部において外側コンタクト１３の固定部１８の内側に配された内側コンタクト１７が、相手方コネクタ装置２６の絶縁ハウジング２８における嵌合凹部２９内において外側コンタクト３１により包囲された内側コンタクト３０に接触接続される。
【００３９】
それにより、その一端部に同軸ケーブルコネクタ装置１０が装着された同軸ケーブル１２における中心導体１２ａが、同軸ケーブルコネクタ装置１０の内側コンタクト１７及び相手方コネクタ装置２６の内側コンタクト３０を介して、電子機器２５の内部に備えられた回路基板２７に設けられた信号伝送部３２（図９参照）に連結され、また、同軸ケーブル１２における外側導体１２ｃが、同軸ケーブルコネクタ装置１０の外側コンタクト１３及び相手方コネクタ装置２６の外側コンタクト３１を介して、電子機器２５の内部に備えられた回路基板２７に設けられた接地電位部３３（図９参照）に連結される。その結果、例えば、柔軟性絶縁部材１１に埋め込まれた同軸ケーブル１２にインピーダンス変化生じると、そのインピーダンス変化に応じた信号が電子機器２５の内部に備えられた回路基板２７に伝えられ、同軸ケーブル１２に生じたインピーダンス変化が電子機器２５によって検知されることになる。
【００４０】
上述のような本願発明に係る同軸ケーブルコネクタ装置の一例を成す同軸ケーブルコネクタ装置１０あるいは本願発明に係る同軸ケーブル接続方法の一例によれば、例えば、布製包帯のような柔軟性絶縁部材１１に信号伝送ケーブルを成すものとして埋め込まれた同軸ケーブル１２の一端部に同軸ケーブルコネクタ装置１０が装着されるにあたり、同軸ケーブルコネクタ装置１０において、絶縁ハウジング１６に設けられた筒状部１４の内部に配された固定部１８及び筒状部１４の外部に配された嵌合部１９を有した外側コンタクト１３における嵌合部１９に同軸ケーブル１２の一端部が挿入されて、外側コンタクト１３の嵌合部１９が同軸ケーブル１２の一端部における外側導体１２ｃの外周面部に外装嵌合した状態をとるものとされるとともに、内側コンタクト１７が、外側コンタクト１３の嵌合部１９の内側に配された同軸ケーブル１２の一端部における中心導体１２ａに、外側コンタクト１３の固定部１８の内部を通じて差し込み係合せしめられ、さらに、外側コンタクト１３におけるカシメ部を成す嵌合部１９に、その内側に配された同軸ケーブル１２の中心導体１２ａに内側コンタクト１７が差し込み係合せしめられたもとでの潰し加工による塑性変形が施されるものとされる。それにより、同軸ケーブル１２の中心導体１２ａ及び外側導体１２ｃが、同軸ケーブルコネクタ装置１０における内側コンタクト１７及び外側コンタクト１３に、夫々押圧接続された状態におかれる。
【００４１】
その結果、布製包帯のような柔軟性絶縁部材１１に埋め込まれた信号伝送ケーブルが中心導体１２ａとそれを絶縁体を介して包囲する外側導体１２ｃとを有した同軸ケーブル１２である場合においても、当該同軸ケーブル１２の中心導体１２ａ及び外側導体１２ｃと同軸ケーブルコネクタ装置１０に設けられた互いに絶縁された内側コンタクト１７及び外側コンタクト１３との相互接続を容易にしかも安定かつ確実に行うことができることになる。
【００４２】
さらに、同軸ケーブルコネクタ装置１０において、その内側に配された同軸ケーブル１２の中心導体１２ａに内側コンタクト１７が差し込み係合せしめられたもとでの潰し加工による塑性変形が施された外側コンタクト１３におけるカシメ部を成す嵌合部１９を、絶縁ハウジング１６に設けられ可動カバー部２０によって覆われたものとすることができる。
【産業上の利用可能性】
【００４３】
以上のような本願発明に係る同軸ケーブルコネクタ装置及び同軸ケーブル接続方法は、それを用いる、あるいは、実施することにより、布製包帯のような柔軟性絶縁部材に埋め込まれた信号伝送ケーブルが中心導体とそれを絶縁体を介して包囲する外側導体とを有した同軸ケーブルである場合においても、当該同軸ケーブルの中心導体及び外側導体と同軸ケーブルコネクタ装置に設けられた互いに絶縁された内側コンタクト及び外側コンタクトとの相互接続を容易にしかも安定かつ確実に行うことができることになるものとして、各種の電子機器等に広く適用され得るものである。
【符号の説明】
【００４４】
１０・・・同軸ケーブルコネクタ装置，  １１・・・柔軟性絶縁部材，  １２・・・同軸ケーブル，  １２ａ・・・中心導体,   １２ｂ・・・内部絶縁体１２ｂ,   １２ｃ・・・外側導体,   １３，３１・・・外側コンタクト，  １４・・・筒状部，  １５・・・底板部，  １６，２８・・・絶縁ハウジング，  １７, ３０・・・内側コンタクト，  １８・・・固定部，  １９・・・嵌合部,   ２０・・・可動カバー部，  ２５・・・電子機器，  ２６・・・相手方コネクタ装置,   ２７・・・回路基板，  ２９・・・嵌合凹部，  ３２・・・信号伝送部，  ３３・・・接地電位部,   ３５・・・筐体
【図１】
2019121516.tif 000003
【図２】
2019121516.tif 000004
【図３】
2019121516.tif 000005
【図４】
2019121516.tif 000006
【図５】
2019121516.tif 000007
【図６】
2019121516.tif 000008
【図７】
2019121516.tif 000009
【図８】
2019121516.tif 000010
【図９】
2019121516.tif 000011
【図１０】
2019121516.tif 000012
【図１１】
2019121516.tif 000013
【図１２】
2019121516.tif 000014
【図１３】
2019121516.tif 000015
【図１４】
2019121516.tif 000016
【図１５】
2019121516.tif 000017